(57)【要約】【課題】カメラ本体と外部機器との間でペアリング設定を行うことなく無線通信による情報の送受信を行うことができ、また、情報の送受信中に他の機器に情報が受信されるのを防止することができる仕組みを提供する。【解決手段】撮像装置は、カメラ本体１００の撮影レンズ１０１のマウント部１の径方向内側に無線通信装置のアンテナ部３ａが設けられ、撮影レンズ１０１には、アンテナ部３ａとの間で無線通信により情報の送受信を行うアンテナ部３ｂが設けられる。アンテナ部３ａから送信される通信波の到達範囲２２ａには、アンテナ部３ｂが配置され、アンテナ部３ｂから送信される通信波の到達範囲２２ｂには、アンテナ部３ａが配置される。通信波の到達範囲２２ａ，２２ｂは、カメラ本体１００及び撮影レンズ１０１の外装露出面の内側に配置される。【選択図】図６
2012002984.tif 000002
【特許請求の範囲】
【請求項１】
第１の無線通信部を有する装置本体と、前記第１の無線通信部との間で無線通信を行う第２の無線通信部を有し、前記装置本体に着脱可能な外部機器とを備える撮像装置であって、
前記装置本体に前記外部機器を装着したときに、前記第１の無線通信部の通信可能範囲を前記外部機器が覆うとともに、前記第１の無線通信部の通信可能範囲内に前記第２の無線通信部が位置し、前記第２の無線通信部の通信可能範囲を前記装置本体が覆うとともに、前記第２の無線通信部の通信可能範囲内に前記第１の無線通信部が位置するように、前記第１の無線通信部および前記第２の無線通信部をそれぞれ配置することを特徴とする撮像装置。
【請求項２】
前記外部機器は前記装置本体のマウントにレンズマウントを係合させることで前記装置本体に装着する撮影レンズであって、
前記第１の無線通信部は前記マウントの近傍に配置されるとともに、前記第２の無線通信部は前記レンズマウントの近傍に配置されることを特徴とする請求項１に記載の撮像装置。
【請求項３】
前記外部機器は前記装置本体のアクセサリシューに装着部を係合させることで前記装置本体に装着するストロボ装置であって、
前記第１の無線通信部は前記アクセサリシューの近傍に配置されるとともに、前記第２の無線通信部は前記装着部の近傍に配置されることを特徴とする請求項１に記載の撮像装置。
【発明の詳細な説明】
【技術分野】
【０００１】
本発明は、装置本体と該装置本体に着脱可能に装着される外部機器との間で無線通信により情報の送受信を行うデジタルカメラ等の撮像装置に関する。
【背景技術】
【０００２】
装置本体と外部機器との間で情報の送受信を行うデジタルカメラ等の撮像装置として、例えば図１５に示すものが知られている（特許文献１）。
【０００３】
この撮像装置は、カメラ本体１００の撮影レンズ１０１のマウント部１に、データ記録装置１１０や無線通信装置１１１等の外部機器が着脱可能に装着される。データ記録装置１１０は、マウント部１への装着時に、撮影レンズ１０１と通信するための電気接点２５を介してカメラ本体１００と通信して、撮影情報（例えば、シャッタ速度、絞り値、撮影レンズの情報等）や画像データを記録媒体に記録する。また、無線通信装置１１１も同様に、マウント部１への装着時に、電気接点２５を介してカメラ本体１００と通信することで、カメラ本体１００と他の機器との無線通信を可能とする。
【先行技術文献】
【特許文献】
【０００４】
【特許文献１】特開２００２−５５３８８公報
【発明の概要】
【発明が解決しようとする課題】
【０００５】
上記特許文献１では、機能向上を目的にカメラ本体１００と外部機器との間で通信する情報を増やしたい場合は、電気接点２５の数も増やす必要が生じるが、この場合、以前の機器との互換性がなくなってしまう。また、電気接点２５が汚れた場合や、外部機器の着脱を繰り返すことによって電気接点２５が摩耗した場合には、外部機器と電気接点２５との接続が不十分となり、安定した通信ができなくなってしまう。
【０００６】
そこで、電気接点２５を介さずに通信する手法として、カメラ本体に無線通信機能を内蔵して外部機器と無線で通信することが考えられる。無線通信には、アンテナ部から発する電波や磁場を用いて相手機器と通信するものや、赤外線等の光線を用いて相手機器と通信するものがある。
【０００７】
しかし、無線通信は、接続ケーブルを用いた有線通信とは異なり、通信する相手機器ごとに通信を確立するためのペアリング設定を行う必要があり、非常に手間がかかる。また、カメラ本体と外部機器との間で無線通信により情報の送受信を行っている際に、他の機器に情報が受信されてしまうおそれがあり、セキュリティ上の問題もある。
【０００８】
そこで、本発明は、装置本体と外部機器との間でペアリング設定を行うことなく無線通信による情報の送受信を行うことができ、また、情報の送受信中に他の機器に情報が受信されるのを防止することができる仕組みを提供することを目的とする。
【課題を解決するための手段】
【０００９】
上記目的を達成するために、本発明の撮像装置は、第１の無線通信部を有する装置本体と、前記第１の無線通信部との間で無線通信を行う第２の無線通信部を有し、前記装置本体に着脱可能な外部機器とを備える撮像装置であって、前記装置本体に前記外部機器を装着したときに、前記第１の無線通信部の通信可能範囲を前記外部機器が覆うとともに、前記第１の無線通信部の通信可能範囲内に前記第２の無線通信部が位置し、前記第２の無線通信部の通信可能範囲を前記装置本体が覆うとともに、前記第２の無線通信部の通信可能範囲内に前記第１の無線通信部が位置するように、前記第１の無線通信部および前記第２の無線通信部をそれぞれ配置することを特徴とする。
【発明の効果】
【００１０】
本発明によれば、装置本体と外部機器との間でペアリング設定を行うことなく無線通信による情報の送受信を行うことができ、また、情報の送受信中に他の機器に情報が受信されるのを防止することができる。
【図面の簡単な説明】
【００１１】
【図１】本発明の撮像装置の第１の実施形態であるデジタルカメラを説明するための図であり、（ａ）はカメラ本体を正面側から見た図、（ｂ）はカメラ本体に着脱可能に装着される撮影レンズを装着面側から見た図である。
【図２】デジタルカメラの制御系を模式的に示すブロック図である。
【図３】デジタルカメラの撮影動作前の概略断面図である。
【図４】デジタルカメラの撮影動作時の概略断面図である。
【図５】無線通信について説明するための説明図である。
【図６】アンテナ部からの通信波到達範囲を説明するための説明図である。
【図７】アンテナ部からの通信波到達範囲を説明するための説明図である。
【図８】アンテナ部からの通信波到達範囲を説明するための説明図である。
【図９】カメラ本体のマウント部にアンテナ装置を装着した例を説明するための図である。
【図１０】本発明の撮像装置の第２の実施形態であるデジタルカメラにおいて、カメラ本体にストロボ装置を装着した状態を示す側断面図である。
【図１１】図１０に示すデジタルカメラのカメラ本体から撮影レンズを取り外した状態を示す正面図である。
【図１２】図１０に示すデジタルカメラのカメラ本体からストロボ装置を取り外した状態を示す側断面図である。
【図１３】本発明の撮像装置の第３の実施形態であるデジタルカメラにおいて、カメラ本体から外部機器を取り外した状態でカメラ本体を背面側から見た図である。
【図１４】カメラ本体に外部機器を取り付けた状態でカメラ本体を背面側から見た図である。
【図１５】従来の撮像装置を説明するための説明図である。
【発明を実施するための形態】
【００１２】
以下、本発明の実施形態を図面を参照して説明する。
【００１３】
（第１の実施形態）
図１は、本発明の撮像装置の第１の実施形態であるデジタルカメラを説明するための図であり、（ａ）はカメラ本体を正面側から見た図、（ｂ）はカメラ本体に着脱可能に装着される撮影レンズを装着面側から見た図である。第１の実施形態では外部機器の一例として撮影レンズを例に説明する。
【００１４】
本実施形態のデジタルカメラは、図１に示すように、本発明の装置本体の一例に相当するカメラ本体１００の正面側開口の周囲に、撮影レンズ１０１のレンズマウントが係合し、固定される環状のマウント１が設けられている。また、マウント１の周方向下側部の径方向内側には、本発明の第１の無線通信部の一例に相当するアンテナ部３ａが配置され、カメラ本体１００の正面側開口の内部には、被写体からの光線を反射するメインミラー６が配置されている。
【００１５】
また、カメラ本体１００のマウント１の側部には、マウント１に対して撮影レンズ１０１を着脱操作するための着脱ボタン２が配置され、カメラ本体１００の上部には、レリーズボタン４及びモードダイヤル５が配置されている。
【００１６】
撮影レンズ１０１のレンズマウントＬの近傍には、撮影レンズ１０１をマウント１に装着した際に、カメラ本体１００側のアンテナ部３ａと光軸方向に対向するアンテナ部３ｂが設けられている。アンテナ部３ｂは、本発明の第２の無線通信部の一例に相当する。
【００１７】
図２は、デジタルカメラの制御系を模式的に示すブロック図である。
【００１８】
図２に示すように、カメラ本体１００には、Ｃ−ＣＰＵ７、撮像素子８、Ａ／Ｄ変換器９、半導体メモリ１０、内蔵メモリ１１、表示部１２、アンテナ部３ａ、バッテリ１５及びアクセサリシュー１６が配置される。
【００１９】
Ｃ−ＣＰＵ７は、内蔵メモリ１１に記憶されたプログラムに基づき、カメラ本体１００全体の動作を制御する。撮像素子８は、撮影レンズ１０１を介して受光した被写体像を光電変換してＡ／Ｄ変換器９に出力する。Ａ／Ｄ変換器９は、撮像素子８から出力された電気信号をデジタルの信号に変換する。半導体メモリ１０は、カメラ本体１００に対して着脱可能に装着され、撮像素子８によって撮像された画像データを保存する。内蔵メモリ１１は、カメラ本体１００の動作に関するデータ等を保持する。表示部１２は、撮像素子８により撮像された画像データやユーザの操作情報を表示する。バッテリ１５は、カメラ本体１００及び撮影レンズ１０１に電源を供給する。アクセサリシュー１６には、外付けのストロボ装置が着脱可能に装着される。
【００２０】
一方、撮影レンズ１０１には、Ｌ−ＣＰＵ１３、内蔵メモリ１４及びアンテナ部３ａが配置される。
【００２１】
Ｌ−ＣＰＵ１３は、内蔵メモリ１４に記憶されたプログラムに基づき、撮影レンズ１０１全体の動作を制御する。内蔵メモリ１４は、カメラ本体１００に関するデータ等を保持する。アンテナ部３ｂは、カメラ本体１００のアンテナ部３ａとの間で無線通信による情報の送受信を行う。
【００２２】
次に、図３及び図４を参照して、デジタルカメラの撮影動作について説明する。図３はデジタルカメラの撮影動作前の概略断面図、図４はデジタルカメラの撮影動作時の概略断面図である。
【００２３】
図３に示すように、撮像素子８と撮影レンズ１０１との間には、メインミラー６が配置され、撮影レンズ１０１を通過した被写体光は、メインミラー６により上方に反射されてファインダへ導かれる。メインミラー６は、ハーフミラーで構成されているため、被写体光の一部はメインミラー６を透過してサブミラー１７へと到達する。サブミラー１７は、全反射ミラーであるため、被写体光が斜め下方に全反射されて焦点検出装置１８に導かれる。焦点検出装置１８は、サブミラー１７から導かれた被写体光に基づき、撮影レンズ１０１の焦点状態を検出する。
【００２４】
次に、レリーズボタン４を押して撮影動作が開始されると、図４に示すように、メインミラー６がサブミラー１７と共に上方へ回動してファインダへの光路が閉じられ、シャッタが開かれる。これにより、撮影レンズ１０１を通過した被写体光が撮像素子８へと導かれて、撮像が行なわれる。撮像素子８での所定時間の露光が終了すると、シャッタが閉じられ、メインミラー６とサブミラー１７が下方に回動して図３の状態に戻り、撮影動作が終了する。
【００２５】
ところで、撮影にあたっては、撮影レンズ１０１の焦点状態を調節する必要がある。レリーズボタン４を半押し操作すると、カメラ本体１００のＣ−ＣＰＵ７は、焦点検出装置１８で検出された焦点状態に基づき、撮影レンズ１０１を合焦状態にするために必要な焦点調節系レンズ１９の移動量を算出する。
【００２６】
カメラ本体１００のＣ−ＣＰＵ７で算出された焦点調節系レンズ１９の移動量は、アンテナ部３ａから撮影レンズ１０１のアンテナ部３ｂへ無線通信により送信される。撮影レンズ１０１のＬ−ＣＰＵ１３は、アンテナ部３ｂで受信した移動量に基づき、焦点調節系レンズ１９の駆動装置を制御して該レンズ１９を光軸方向に移動させ、これにより、焦点調節を行なう。
【００２７】
なお、カメラ本体１００のアンテナ部３ａと撮影レンズ１０１のアンテナ部３ｂとの間で送受信される情報は、焦点調節に関する情報だけでなく、カメラ本体１００で決定した絞り値の情報なども含まれる。
【００２８】
また、撮影レンズ１０１の内蔵メモリ１４には、開放Ｆナンバーや焦点距離といったレンズ個々の情報が記憶されている。そして、撮影レンズ１０１がカメラ本体１００のマウント部１に装着されると、撮影レンズ１０１のＬ−ＣＰＵ１３は、内蔵メモリ１４から読み出したレンズ情報をアンテナ部３ｂからカメラ本体１００のアンテナ部３ａに無線通信により送信する。カメラ本体１００のＣ−ＣＰＵ７は、アンテナ部３ａで受信したレンズ情報を解析し、所定の処理を行う。
【００２９】
次に、図５を参照して、無線通信について説明する。図５は、無線通信について説明するための説明図である。
【００３０】
図５において、機器１０３は、電波を用いた無線通信装置を制御するＬＳＩ１２０を備え、アンテナ部２１から電波信号を送信する。アンテナ部２１から送信された電波信号には、情報が含まれているため、相手機器のアンテナ部２１が電波信号を受信すると、機器内に情報を取り込むことができる。
【００３１】
ここで、機器１０３の無線通信装置の出力が大きい場合は、アンテナ部２１からの通信波到達範囲（通信可能範囲）２２に複数の相手機器のアンテナ部が配置されるため、複数の機器との間で無線通信することができる。
【００３２】
図５の例では、機器１０３のアンテナ部２１から送信された電波信号は、機器１０４，１０５，１０６には到達するが、機器１０７には到達しない。従って、機器１０３と機器１０４，１０５，１０６との間では、無線通信することができ、機器１０３と機器１０７との間では、無線通信することができない。また、複数の機器１０４，１０５，１０６のうち、通信する機器を１つに制限する場合、機器１０３と通信する相手機器との間でペアリング設定を行なう必要がある。
【００３３】
一方、機器１０３の無線通信装置の出力を小さくすることで、通信波到達範囲２２内に１つの相手機器のアンテナ部のみが配置されるようにすれば、ペアリング設定を行うことなく、１対１の無線通信を行うことが可能となる。この場合、通信波到達範囲の半径が３０〜５０ｍｍ程度の極短距離の無線通信装置としては、例えば磁場を用いた無線通信装置を例示することができる。磁場は、電波に比べて距離に対する減衰率が大きいため、通信波の到達位置を比較的明確に把握することができる。
【００３４】
以上を考慮して、本実施形態では、カメラ本体１００のマウント部１の径方向内側に、撮影レンズ１０１と通信する無線通信装置のアンテナ部３ａを配置している。そして、図６及び図７に示すように、カメラ本体１００のマウント部１に撮影レンズ１０１を装着した状態では、カメラ本体１００のアンテナ部３ａから送信される通信波の到達範囲２２ａには、撮影レンズ１０１のアンテナ部３ｂが配置される。また、撮影レンズ１０１のアンテナ部３ｂから送信される通信波の到達範囲２２ｂには、カメラ本体１００のアンテナ部３ａが配置される。したがって、第１の無線通信部の通信可能範囲内に第２の無線通信部が位置し、第２の無線通信部の通信可能範囲内に第１の無線通信部が位置する。
【００３５】
ここで、カメラ本体１００のアンテナ部３ａから送信される通信波の到達範囲２２ａ及び撮影レンズ１０１のアンテナ部３ｂから送信される通信波の到達範囲２２ｂは、本実施形態では、デジタルカメラの外装面の内側に配置される。すなわち、カメラ本体１００に撮影レンズ１０１を装着することで、アンテナ部３ａから送信される通信波の到達範囲２２ａのうち、カメラ本体１００の外側となる範囲は撮影レンズ１０１によって覆われる。同様に、アンテナ部３ｂから送信される通信波の到達範囲２２ｂのうち、撮影レンズ１０１の外側となる範囲はカメラ本体１００によって覆われる。
【００３６】
これにより、他の機器のアンテナ部を通信波到達範囲２２ａ，２２ｂに配置することが困難となる。この結果、他の機器のアンテナ部をデジタルカメラのどの部位に近づけても、カメラ本体１００と撮影レンズ１０１との間で送受信される情報を他の機器に受信されないようにすることができる。
【００３７】
なお、図８に示すように、通信波到達範囲２２ａ，２２ｂが広く、デジタルカメラの外装面から外側にはみ出ている場合は、外装面からはみ出た部分に電波や磁場等を遮蔽する部材を設ける。これにより、上記同様に、カメラ本体１００と撮影レンズ１０１との間で送受信される情報を他の機器に受信されるのを防止することができる。
【００３８】
次に、図９を参照して、カメラ本体１００から撮影レンズ１０１を取り外して、マウント部１にカメラ本体１００とパーソナルコンピュータ２４との間で無線通信を行なうためのアンテナ装置２３を装着した場合について説明する。
【００３９】
図９に示すように、アンテナ装置２３には、撮影レンズ１０１と同様に、カメラ本体１００のアンテナ部３ａと無線通信するアンテナ部３ｃが配置されている。そして、カメラ本体１００のマウント部１にアンテナ装置２３を装着した状態では、カメラ本体１００のアンテナ部３ａから送信される通信波の到達範囲２２ａには、アンテナ装置２３のアンテナ部３ｃが配置される。また、アンテナ装置２３のアンテナ部３ｃから送信される通信波の到達範囲２２ｃには、カメラ本体１００のアンテナ部３ａが配置される。
【００４０】
ここで、カメラ本体１００のアンテナ部３ａから送信される通信波の到達範囲２２ａ及びアンテナ装置２３のアンテナ部３ｃから送信される通信波の到達範囲２２ｃは、カメラ本体１００及びアンテナ装置２３の外装露出面の内側に配置される。これにより、上記同様に、他の機器のアンテナ部をカメラ本体１００やアンテナ装置２３に近づけても、カメラ本体１００とアンテナ装置２３との間で送受信される情報を他の機器に受信されないようにすることができる。
【００４１】
以上説明したように、本実施形態では、カメラ本体１００と撮影レンズ１０１やアンテナ装置２３等の外部機器との間でペアリング設定を行うことなく、無線通信による情報の送受信を行うことができる。
【００４２】
また、本実施形態では、他の機器のアンテナ部をカメラ本体１００や外部機器に近づけても、カメラ本体１００と外部機器との間で送受信される情報を他の機器に受信されないようにすることができる。
【００４３】
（第２の実施形態）
次に、図１０〜図１２を参照して、本発明の撮像装置の第２の実施形態であるデジタルカメラについて説明する。なお、上記第１の実施形態に対して重複又は相当する部分については、各図に同一符号を付してその説明を省略する。第２の実施形態では外部機器の一例としてストロボ装置を例に説明する。
【００４４】
図１０は本発明の撮像装置の第２の実施形態であるデジタルカメラのカメラ本体１００にストロボ装置１０８を装着した状態を示す側断面図、図１１は図１０に示すデジタルカメラのカメラ本体１００から撮影レンズ１０１を取り外した状態を示す正面図である。
【００４５】
本実施形態のデジタルカメラは、図１０及び図１１に示すように、カメラ本体１００の上面部に設けられたアクセサリシュー１６にストロボ装置１０８の装着部が係合し、固定されている。カメラ本体１００のストロボ装置１０８の装着部近傍には、アンテナ部３ａが設けられ、ストロボ装置１０８には、アンテナ部３ａとの間で無線通信による情報の送受信を行うアンテナ部３ｄが設けられている。
【００４６】
そして、カメラ本体１００のアクセサリシュー１６にストロボ装置１０８を装着した状態では、カメラ本体１００のアンテナ部３ａから送信される通信波の到達範囲２２ａには、ストロボ装置１０８のアンテナ部３ｄが配置される。また、ストロボ装置１０８のアンテナ部３ｄから送信される通信波の到達範囲２２ｄには、カメラ本体１００のアンテナ部３ａが配置される。したがって、第１の無線通信部の通信可能範囲内に第２の無線通信部が位置し、第２の無線通信部の通信可能範囲内に第１の無線通信部が位置する。
【００４７】
ここで、カメラ本体１００のアンテナ部３ａから送信される通信波の到達範囲２２ａは、一部分がカメラ本体１００のストロボ装置１０８と対向する外装面の外側に配置されるとともに、その他の部分がカメラ本体１００の外装面の内側に配置される。また、ストロボ装置１０８のアンテナ部３ｄから送信される通信波の到達範囲２２ｄは、一部分がストロボ装置１０８のカメラ本体１００と対向する外装面の外側に配置されるとともに、その他の部分がストロボ装置１０８の外装面の内側に配置される。すなわち、カメラ本体１００にストロボ装置１０８を装着することで、アンテナ部３ａから送信される通信波の到達範囲２２ａのうち、カメラ本体１００の外側となる範囲はストロボ装置１０８によって覆われる。同様に、アンテナ部３ｄから送信される通信波の到達範囲２２ｄのうち、ストロボ装置１０８の外側となる範囲はカメラ本体１００によって覆われる。
【００４８】
これにより、他の機器のアンテナ部を通信波到達範囲２２ａ，２２ｄに配置することが困難となり、カメラ本体１００とストロボ装置１０８との間で送受信される情報が他の機器に受信されるのを防止することができる。
【００４９】
ところで、ストロボ装置１０８をカメラ本体１００から取り外した状態では、図１２に示すように、アクセサリシュー１６の近傍にアンテナ部３ａの通信波到達範囲２２ａが存在する。このため、この部分に他の機器のアンテナ部を近づければ他の機器との無線通信を行なうことができるが、通信波到達範囲２２ａは一部分のみがカメラ本体１００の外装面の外側に配置されるため、この部分に複数の他の機器を近づけることは困難である。従って、比較的容易に通信機器同士の特定が可能となる。
【００５０】
なお、その他の構成及び作用効果については、本実施形態では、撮影レンズ１０１とカメラ本体１００とが電気接点２５を介して情報の送受信を行う点を除いて上記第１の実施形態と同様である。
【００５１】
（第３の実施形態）
次に、図１３及び図１４を参照して、本発明の撮像装置の第３の実施形態であるデジタルカメラについて説明する。なお、上記第１の実施形態に対して重複又は相当する部分については、各図に同一符号を付してその説明を省略する。
【００５２】
図１３は、本発明の撮像装置の第３の実施形態であるデジタルカメラのカメラ本体１００から撮影レンズ１０１やストロボ装置１０８等の外部機器を取り外した状態でカメラ本体１００を背面側から見た図である。図１４は、カメラ本体１００に撮影レンズ１０１やストロボ装置１０８等の外部機器を取り付けた状態でカメラ本体１００を背面側から見た図である。
【００５３】
図１３に示すように、カメラ本体１００から外部機器を取り外した状態では、カメラ本体１００の背面に配置された表示部１２に表示される設定メニューに「外部通信」のメニューが存在する。
【００５４】
「外部通信」のメニューでは、例えば、他の機器との間での無線通信をＯＮ／ＯＦＦする設定、無線通信速度を固定或いは自動判別する設定、通信相手の機器を機器ＩＤ等を用いて制限する設定、送受信できる情報を制限する設定等を行なうことができる。これにより、外部機器との間での無線通信を円滑に行なうことができる。
【００５５】
一方、図１４に示すように、カメラ本体１００に外部機器を取り付けた状態では、表示部１２の設定メニューに「外部通信」のメニューが表示されなくなる。カメラ本体１００に例えば撮影レンズ１０１が取り付けられると、カメラ本体１００は、撮影レンズ１０１との間でのみ無線通信を行なうことになる。カメラ本体１００は、カメラ本体１００の設定情報を撮影レンズ１０１に送信し、撮影レンズ１０１は、レンズの設定情報をカメラ本体１００に送信する。
【００５６】
このため、ユーザが無線通信に際して設定しなければならない項目は通常存在しない。従って、表示部１２の設定メニューに「外部通信」のメニューを表示しないことで、誤設定や誤操作を防止することができ、また、表示部１２に表示されるメニューも少なくなるため、メニュー画面が見易くなって操作性を良くすることができる。
【００５７】
表示部１２の設定メニューに「外部通信」のメニューを表示するか否かは、カメラ本体１００のＣ−ＣＰＵ７がカメラ本体１００に対する外部機器の着脱を検知して、検知結果に基づき表示部１２に表示される設定メニューの表示制御を行う。具体的には、Ｃ−ＣＰＵ７は、外部機器の装着を検知した場合は、表示部１２に「外部通信」のメニューが省略された設定メニューを表示し、外部機器の離脱を検知した場合は、表示部１２に「外部通信」のメニューを含む設定メニューを表示する。その他の構成及び作用効果は、上記第１又は第２の実施形態と同様である。
【００５８】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５９】
１  マウント部
３ａ，３ｂ  アンテナ部
２２ａ，２２ｂ  通信波到達範囲
２３  アンテナ装置
１００  カメラ本体
１０１  撮影レンズ
【図１】
2012002984.tif 000003
【図２】
2012002984.tif 000004
【図３】
2012002984.tif 000005
【図４】
2012002984.tif 000006
【図５】
2012002984.tif 000007
【図６】
2012002984.tif 000008
【図７】
2012002984.tif 000009
【図８】
2012002984.tif 000010
【図９】
2012002984.tif 000011
【図１０】
2012002984.tif 000012
【図１１】
2012002984.tif 000013
【図１２】
2012002984.tif 000014
【図１３】
2012002984.tif 000015
【図１４】
2012002984.tif 000016
【図１５】
2012002984.tif 000017